(57)【特許請求の範囲】
【請求項１】
外部包装用容器と木製の内部包装用容器とを備えた包装用容器であって、
前記内部包装用容器は、収納物の収納又は取り出しの少なくとも一方において開閉可能な開閉収納体と、該開閉収納体の開く範囲を制限する制限手段とを備え、
該制限手段は、前記内部包装用容器の底部に設けられた、傾斜面を有するフラップ板と、前記開閉収納体を軸支する回転軸を備え、
前記開閉収納体は、前記フラップ板が嵌挿されるフラップ嵌挿部と、前記回転軸を支承する軸受部を備え、該フラップ嵌挿部及び該軸受部は、前記制限手段の一部として構成されており、
前記内部包装用容器は、前記開閉収納体のフラップ嵌挿部に前記制限手段のフラップ板が嵌挿され、且つ、前記開閉収納体の軸受部に前記制限手段の回転軸が支承されて構成され、
前記開閉収納体は、前記回転軸に軸支されて開閉可能に形成され、
前記フラップ嵌挿部に形成された制限壁面が、前記フラップ板に形成された傾斜面に当接して、前記開閉収納体の開く範囲を制限するように構成され、
前記開閉収納体が開閉される方向を前後方向、該前後方向に直交する方向を左右方向と定義すると、
前記開閉収納体は、前後方向に対向して配置される一対の第１及び第２の開閉収納体で構成され、
前記フラップ嵌挿部は、前記第１の開閉収納体の左右板、及び、前記第２の開閉収納体の左右板に、前記制限壁面を設けて、各々が独立して形成され、
前記軸受部は、前記第１の開閉収納体の左右板、及び、前記第２の開閉収納体の左右板に、各々が独立して形成され、
前記内部包装用容器の底部には、四角形状に形成された底板が配設されており、
前記フラップ板は、前記底板の左右辺の、前記フラップ嵌挿部に嵌挿可能な位置に、各々が独立して形成され、
前記回転軸は、前記底板の左右辺の前記フラップ板近傍の位置であって、前記第１及び第２の開閉収納体の開閉時の回転の支点部分に、各々が独立して形成され、
前記フラップ板は、長方形の木製板材を加工して、下辺よりも上辺を短くして前記傾斜面を形成されており、該傾斜面の傾斜角度は前記第１及び第２の開閉収納体の開く範囲を制限する角度に形成されており、該前記第１及び第２の開閉収納体が前記角度に開いた状態で、前記制限壁面が前記傾斜面に当接するように形成されている
ことを特徴とする包装用容器。
【請求項２】
前記開閉収納体の軸受部には、補強部材が嵌着されている
ことを特徴とする請求項１に記載の包装用容器。
【請求項３】
前記内部包装用容器は、頂部に上蓋と、底部に高さ調整板とを備え、
前記上蓋部は、前記開閉収納体を係止して、該開閉収納体の閉じた状態を維持し、
前記高さ調整板は、前記内部包装用容器の底部に嵌装されて、前記収納物の高さを調整し、且つ、該収納物の底部を保護する
ことを特徴とする請求項１又は請求項２に記載の包装用容器。
【請求項４】
前記開閉収納体の開く範囲は、少なくとも、該開閉収納体の開角度、該開閉収納体の回動する量のうちのいずれか１つである
ことを特徴とする請求項１乃至請求項３のいずれか１項に記載の包装用容器。
【請求項５】
前記開閉収納体の上部に、前記収納物の頂部保護手段が形成されている
ことを特徴とする請求項１乃至請求項４のいずれか１項に記載の包装用容器。
【請求項６】
前記外部包装用容器は、キャンドルスリーブとして形成されていることを特徴とする請求項１乃至請求項５のいずれか１項に記載の包装用容器。
【発明の詳細な説明】
【技術分野】
【０００１】
本発明は、包装用容器に関し、特に、瓶類を包装する木箱等の木製の包装用容器に関するものである。
【背景技術】
【０００２】
従来、清酒、ワイン、ウィスキー、焼酎、ジュース等の飲料水が入った瓶類の包装用容器としては、包装用容器を使用しないときは、該包装用容器を扁平形状に展開し、複数枚数が積層されて保管され、使用時には、個々の包装用容器を所定の方法により立体箱形状に組み立てるものがある。この包装用容器は、それぞれの瓶の大きさや形状に合わせて、専用の形状をなしているものもあり、また、贈答用に使用される包装用容器は、箱の外周面に化粧を施されたものもある。包装用容器の素材は、コートボール、段ボール等の紙が一般的である。
【０００３】
上記の包装用容器は、構造が単純なものは、例えば、落下等の衝撃に弱く、また、耐衝撃性を考慮されたものであっても、あくまで、使用目的は、瓶類の包装用であるから、例えば、清酒又はワインが入った瓶の包装用容器は、清酒又はワインが飲まれるとき、または、清酒又はワインを飲み終わった後は、廃棄されてしまうか、小物入れ用として利用される。なお、瓶とともに包装用容器も記念あるいは思い出のもの等として保管されることもある。
【０００４】
ところで、一般的に、レストラン等で飲食するときに、飲食の雰囲気や美味しさをより高めるために、室内の照明を暗くして、キャンドルを灯し、幻想的空間、ロマンティックな空間等、様々な演出がなされていることが多い。このとき、キャンドルスリーブやキャンドルホルダーにより、キャンドルの炎を利用した演出もなされている。このような演出は、レストラン以外の様々な飲食店、結婚披露宴、パーティー、あるいは、一般家庭でも、行われている。キャンドルスリーブの代わりに行灯が用いられることもある。
【０００５】
通常、一般家庭においては、キャンドルスリーブやキャンドルホルダーは、清酒又はワイン等のアルコール飲料とは別々に購入する必要がある。しかしながら、アルコール飲料の販売箇所とキャンドルスリーブの販売箇所は、それぞれの販売店舗が相当離隔していたり、大型店舗のように同一の店舗であってもそれぞれの売り場が相当離隔していたりして、移動距離が長く、購入するのに不便である。
そこで、本発明者は、瓶に入った飲料、特にアルコール飲料をキャンドルスリーブの演出効果を楽しみながら飲むときに、キャンドルスリーブと瓶とを別々に購入する不便さを解消するために、瓶の包装用容器の一部がキャンドルスリーブとして形成され、該包装用容器の一部をキャンドルスリーブとして使用した際に、顕著な演出効果を発揮することができる包装用容器を考案した（特許文献１参照。）。
【０００６】
ここで、上記の特許文献１に記載の包装用容器は、収納・取り出し口が広く形成されており、また、瓶胴部係止片を設けて瓶の転がりを防止しているので、瓶の収納・取り出しを安全かつ容易に行うことができるが、縦長の該包装容器を横にした状態（瓶を横にした状態）で瓶の収納・取り出しを行うものであり、縦長の該包装容器を縦にした状態（瓶を縦にした状態）で瓶の収納・取り出しを行うことは、想定されていない。
【０００７】
このため、本出願人は、包装用容器、特に、内部包装用容器と外部包装容器とを有する瓶類の包装用容器において、縦長形状の包装用容器を立てた状態で、瓶類の収納又は取り出しの少なくとも一方を容易に行うことができ、また、外部包装用容器がキャンドルスリーブとして形成された包装用容器を発明した（特許文献２参照。）。
【先行技術文献】
【特許文献】
【０００８】
【特許文献１】登録実用新案第３１９６４０９号公報
【特許文献２】特許第５８１１４８８号公報
【特許文献３】特許第２５６３０８５号公報
【発明の概要】
【発明が解決しようとする課題】
【０００９】
ところで、瓶類の包装用容器としては、紙箱以外に、贈答用に木箱が用いられる場合がある。贈答用としては、紙箱よりも木箱の方が高級イメージがあるからである。しかしながら、上記特許文献１、２に記載の発明は、紙素材のブランクを折り曲げて包装用容器を組み立てる技術であり、また、木製の包装用容器は個々の構成部品が紙製に比べ、強度は向上するものの、厚み・重量が増し、可撓性が低いことなどから、紙製の技術の木箱への応用が容易ではない。
【００１０】
ここで、瓶類の包装用容器として木箱を用いたものは、例えば、特許文献３に示すような「底板と、該底板の周囲に立設された側板と、該側板に設けられた支持紐掛止孔と、収納された瓶を箱内において浮遊状態で支持するよう瓶の下部に配置すると共に、その両端をそれぞれ前記紐掛止孔に挿通させた後、結紮される支持紐とからなることを特徴とする瓶用包装箱」がある。
【００１１】
しかしながら、特許文献３に記載の「瓶用包装箱」は、支持紐を側板の内側から外側に挿通させる構成であるため、瓶類を包装したときには、側板から支持紐の一部が突出するため、例えば、特許文献１，２のように、キャンドルスリーブとしての外部包装用容器を被装させようとすると、箱の外側面に突出した支持紐が邪魔になるので、キャンドルスリーブとしての外部包装用容器を被装させることができない。また、特許文献３に記載の「瓶用包装箱」は、包装箱体に上蓋を着脱することで瓶を出し入れ可能とし、瓶を横にした状態で収納するものであり、木箱としては一般的な技術であり、特許文献２の「収納物の収納又は取り出しの少なくとも一方において開閉可能な開閉体を有し、該開閉体が開かれた際に、該開閉収納体の開く範囲を制限する制限手段」を備えておらず、瓶及び瓶用包装箱を立てた状態での収納・取り出しを行うことを想定されていない。
したがって、特許文献３の「瓶用包装箱」は、特許文献２の「包装用容器」のように、瓶及び瓶用包装箱を立てた状態で収納・取り出しができず、また、外部包装用容器をキャンドルスリーブとして利用する技術思想もないので、顕著な演出効果を奏することができない。
【００１２】
このため、本発明は、包装用容器、特に、外部包装容器と、木製の内部包装用容器を有する瓶類の包装用容器において、木製の内部包装用容器を立てた状態で、瓶類の収納又は取り出しの少なくとも一方を容易に行うことができる包装用容器を提供することを目的とする。
【００１３】
また、本発明は、上記木製の内部包装用容器に、木製の開閉収納体と、該開閉収納体の開く範囲を制限する木製の制限手段を備え、前記開閉収納体の開閉をスムーズに行うことができる包装用容器を提供することを目的とする。
【００１４】
また、本発明は、上記木製の内部包装用容器において、外部包装用容器をキャンドルスリーブとして形成することで、ユーザ使用時に顕著な演出を提供することを目的とする。
【課題を解決するための手段】
【００１５】
上記の目的を達成するため、請求項１に記載の発明は、外部包装用容器と木製の内部包装用容器とを備えた包装用容器であって、前記内部包装用容器は、収納物の収納又は取り出しの少なくとも一方において開閉可能な開閉収納体と、該開閉収納体の開く範囲を制限する制限手段とを備え、該制限手段は、前記内部包装用容器の底部に設けられた、傾斜面を有するフラップ板と、前記開閉収納体を軸支する回転軸を備え、前記開閉収納体は、前記フラップ板が嵌挿されるフラップ嵌挿部と、前記回転軸を支承する軸受部を備え、該フラップ嵌挿部及び該軸受部は、前記制限手段の一部として構成されており、前記内部包装用容器は、前記開閉収納体のフラップ嵌挿部に前記制限手段のフラップ板が嵌挿され、且つ、前記開閉収納体の軸受部に前記制限手段の回転軸が支承されて構成され、前記開閉収納体は、前記回転軸に軸支されて開閉可能に形成され、前記フラップ嵌挿部に形成された制限壁面が、前記フラップ板に形成された傾斜面に当接して、前記開閉収納体の開く範囲を制限するように構成され、前記開閉収納体が開閉される方向を前後方向、該前後方向に直交する方向を左右方向と定義すると、前記開閉収納体は、前後方向に対向して配置される一対の第１及び第２の開閉収納体で構成され、前記フラップ嵌挿部は、前記第１の開閉収納体の左右板、及び、前記第２の開閉収納体の左右板に、前記制限壁面を設けて、各々が独立して形成され、前記軸受部は、前記第１の開閉収納体の左右板、及び、前記第２の開閉収納体の左右板に、各々が独立して形成され、前記内部包装用容器の底部には、四角形状に形成された底板が配設されており、前記フラップ板は、前記底板の左右辺の、前記フラップ嵌挿部に嵌挿可能な位置に、各々が独立して形成され、前記回転軸は、前記底板の左右辺の前記フラップ板近傍の位置であって、前記第１及び第２の開閉収納体の開閉時の回転の支点部分に、各々が独立して形成され、前記フラップ板は、長方形の木製板材を加工して、下辺よりも上辺を短くして前記傾斜面を形成されており、該傾斜面の傾斜角度は前記第１及び第２の開閉収納体の開く範囲を制限する角度に形成されており、該前記第１及び第２の開閉収納体が前記角度に開いた状態で、前記制限壁面が前記傾斜面に当接するように形成されていることを特徴とする。
【００１６】
また、請求項２に記載の発明は、請求項１に記載の包装用容器であって、前記開閉収納体の軸受部には、補強部材が嵌着されていることを特徴とする。
【００１７】
また、請求項３に記載の発明は、請求項１又は請求項２に記載の包装用容器であって、前記内部包装用容器は、頂部に上蓋と、底部に高さ調整板とを備え、前記上蓋部は、前記開閉収納体を係止して、該開閉収納体の閉じた状態を維持し、前記高さ調整板は、前記内部包装用容器の底部に嵌装されて、前記収納物の高さを調整し、且つ、該収納物の底部を保護することを特徴とする。
【００１８】
また、請求項４に記載の発明は、請求項１乃至請求項３のいずれか１項に記載の包装用容器であって、前記開閉収納体の開く範囲は、少なくとも、該開閉収納体の開角度、該開閉収納体の回動する量のうちのいずれか１つであることを特徴とする。
【００２０】
また、請求項５に記載の発明は、請求項１乃至請求項４のいずれか１項に記載の包装用容器であって、前記開閉収納体の上部に、前記収納物の頂部保護手段が形成されていることを特徴とする。
【００２１】
また、請求項６に記載の発明は、請求項１乃至請求項５のいずれか１項に記載の包装用容器であって、前記外部包装用容器は、キャンドルスリーブとして形成されていることを特徴とする。
【発明の効果】
【００２２】
本発明によれば、外部包装用容器と、木製の内部包装用容器とを備えた包装用容器において、前記内部包装用容器が開閉収納体と該開閉収納体の開閉制限手段とを備え、縦長形状の前記包装用容器を立てた状態で瓶類の収納又は取り出しの少なくとも一方を行うために前記開閉収納体を開いた際に、該開閉収納体が所定の範囲以上に開くことが制限されるように形成されているので、前記包装用容器を立てた状態で、瓶類の収納又は取り出しの少なくとも一方を容易に行うことができる。
【００２３】
また、本発明によれば、木製の前記制限手段に開閉収納体の回転軸を設け、回転軸の軸受部に補強部材を嵌着したことで、前記開閉収納体の開閉がスムーズになり、且つ、軸受部の強度を向上させることができる。
【００２４】
また、本発明によれば、外部包装用容器がキャンドルスリーブとして形成され、該外部包装用容器をキャンドルスリーブとして使用することで、顕著な演出効果を発揮することができる。
【図面の簡単な説明】
【００２５】
【図１】本発明の一実施形態における包装用容器の外観斜視図である。
【図２】本発明の一実施形態における外部包装用容器と内部包装用容器の外観斜視図である。
【図３】本発明の一実施形態における内部包装用容器の上蓋を外した状態の外観斜視図である。
【図４】本発明の一実施形態における内部包装用容器を底面側から見た外観斜視図である。
【図５】本発明の一実施形態における内部包装用容器の正面図である。
【図６】本発明の一実施形態における内部包装用容器の左側面図である。
【図７】本発明の一実施形態における内部包装用容器の平面図である。
【図８】本発明の一実施形態における内部包装用容器の底面図である。
【図９】本発明の一実施形態における高さ調整板の外観斜視図である。
【図１０】本発明の一実施形態における上蓋の説明図である。
【図１１】本発明の一実施形態における底部の外観斜視図である。
【図１２】本発明の一実施形態における後開閉収納体の要部を示す斜視図である。
【図１３】本発明の一実施形態における後開閉収納体を底部側から見た外観斜視図である。
【図１４】本発明の一実施形態における後開閉収納体に底部を嵌装して組み立てた状態を示す斜視図である。
【図１５】図１４において、後開閉収納体を開いた状態を示す斜視図である。
【図１６】図１５を底部斜め下方から見た斜視図である。
【図１７】本発明の一実施形態における補強部材を説明する斜視図である。
【図１８】本発明の一実施形態における包装用容器を全開にした状態を示す斜視図である。
【図１９】本発明の一実施形態における包装用容器を全開にした状態を示す正面図である。
【図２０】本発明の一実施形態における包装用容器を全開にして瓶を収納した状態を示す斜視図である。
【図２１】本発明の一実施形態における包装用容器の開く範囲と、回転軸の作用の説明図である。
【発明を実施するための形態】
【００２６】
以下、好適な実施の形態を用いて本発明をさらに具体的に説明する。但し、下記の実施形態は本発明を具現化した例に過ぎず、本発明はこれに限定されるものではない。
【００２７】
図１は、本発明の一実施形態における包装用容器１の外観斜視図であり、図２は、本発明の一実施形態における外部包装用容器２と内部包装用容器３の外観斜視図である。図１に示すように、本発明の包装用容器１は、縦長の四角柱状の内部包装用容器３が、四角筒状の外部包装用容器２に被装されて構成されている。本実施形態においては、外部包装用容器２は、例えば、透光性のポリエチレンテレフタラートで形成され、内部包装用容器３は、全ての構成部品が、例えば、飫肥杉等の木材で形成されているが、必要に応じて適宜素材を変更してもよい。なお、各図に矢印で示した前、後、左、右の方向は、各図毎の方向の説明を行うために便宜上設けたものである。
【００２８】
図２は、包装用容器１において、内部包装用容器３から外部包装用容器２を取り外して、外部包装用容器２と内部包装用容器３とを並置した状態を示している。内部包装用容器３は、前部に設けられた前開閉収納体５と、後部に設けられた後開閉収納体６と、頂部に設けられた上蓋４と、底部に設けられた底部９（詳細は後述する。）とを備えている。また、底部９には、収納する瓶類の異なる高さに対応するために、高さ調整用の高さ調整板１２（詳細は後述する。）が設けられてもよい。前開閉収納体５は、前板５Ｆと、前左板５Ｌと、前右板５Ｒとが、接着剤で貼着されて形成されている。後開閉収納体６は、前開閉収納体５と同一構造であり、後板６Ｂと、後左板６Ｌと、後右板６Ｒとが、接着剤で貼着されて形成されているが、図２では、後右板６Ｒのみが視認される。前開閉収納体５と後開閉収納体６とは、対向した状態で組み立てられる。瓶類の収納物は、内部包装用容器３の中に収納することができる。本実施形態においては、瓶類及び内部包装用容器３を立てた状態で、瓶類の収納又は取り出しの少なくともいずれか一方を、容易に行うことができる。なお、本実施形態の包装用容器１は、清酒又はワイン等の瓶類を収納した状態で、さらに風呂敷で包装し、贈答用として用いることもできる。このとき、キャンドルスリーブ、行灯等として使用する外部包装用容器２の側面の模様と、風呂敷の模様とを同じにすると、さらに演出効果を高めることができる。
【００２９】
図３は、上蓋４を取り外した状態の内部包装用容器３の外観斜視図である。なお、前開閉収納体５と後開閉収納体６とは、構成部品も含め、全て同一構造、同一機能であるため、以下、特に必要がなければ、一方のみ説明し、他方の説明は省略する。
【００３０】
図３に示すように、前開閉収納体５の頂部中央には、上蓋前差込溝５ｅが形成されている。同様に、後開閉収納体６の頂部中央には、上蓋後差込溝６ｅが形成されている。上蓋前差込溝５ｅ、上蓋後差込溝６ｅは、それぞれ、後述する上蓋前差込片４Ｆ，上蓋後差込片４Ｂを差し込んで係止することができるように削成されている。前開閉収納体５、後開閉収納体６の頂部から下方の所定位置には、頂部前保護部７Ｆ，頂部後保護部７Ｂが設けられ、頂部前保護部７Ｆと頂部後保護部７Ｂとで、枡形の上蓋嵌合凹部７を構成し、この上蓋嵌合凹部７に、上蓋４のキャンドル収納箱４ｂを嵌合させることができる。
前開閉収納体５の前板５Ｆと後開閉収納体６の後板６Ｂ、前左板５Ｌと後左板６Ｌ、前右板５Ｒと後右板６Ｒとは、それぞれ、同一形状に形成されている。内部包装用容器３を閉じた状態、つまり、前開閉収納体５と後開閉収納体６を閉じた状態では、前左板５Ｌと後左板６Ｌの内側壁面同士が密接し、且つ、前右板５Ｒと後右板６Ｒの内側壁面同士が密接するように形成されている。
【００３１】
図４は、内部包装用容器３を、底面側から見た斜視図である。図示するように、内部包装用容器３の底部には、収納する瓶類を保護するための底部９が嵌脱可能に嵌装されている。底部９は、四角状の底板９ｅと、底板９ｅの左辺に設けられた２つのフラップ板９ａ，９ｃ、２つの回転軸１０ａ，１０ｃと、底板９の右辺に設けられた２つのフラップ板９ｂ，９ｄ、２つの回転軸１０ｂ，１０ｄを備えている。また、前左板５Ｌの底部には、フラップ板９ａ，回転軸１０ａ、それぞれを、嵌挿することができるフラップ嵌挿部５ａ，軸受部６ａが形成され、後左板６Ｌの底部には、フラップ板９ｃ，回転軸１０ｃ、それぞれを、嵌挿することができるフラップ嵌挿部５ｃ，軸受部６ｃが形成され、前右板５Ｒの底部には、フラップ板９ｂ，回転軸１０ｂ、それぞれを、嵌挿することができるフラップ嵌挿部５ｂ，軸受部６ｂが形成され、後右板６Ｒの底部には、フラップ板９ｄ，回転軸１０ｄ、それぞれを、嵌挿することができるフラップ嵌挿部５ｄ，軸受部６ｄが形成されている。特許文献２に記載の発明は、「角度制限片」が、折り曲げて組み立てられた「開閉収納体」の「差込空間部」に差し込まれる構成であったが、本発明では、素材に所定の厚みを有する木製板材を使用するため、前後開閉収納体５，６に、フラップ板９ａ〜９ｄを嵌挿するためのフラップ嵌挿部５ａ〜５ｄを形成したことに特徴がある。また、前後開閉収納体５，６の開閉をスムーズにするために、前後開閉収納体５，６の開閉時の回転の支点部分に回転軸１０ａ〜１０ｄを設けたことも、本発明の特徴の一つである。なお、軸受部６ａ〜６ｄには、後述するように、補強部材が嵌着される。
【００３２】
図５は、内部包装用容器３の正面図、図６は、内部包装用容器３の左側面図、図７は、内部包装用容器３の平面図、図８は、内部包装用容器３の底面図である。図７（ａ）は、上蓋４を嵌装させた状態を示し、図７（ｂ）は、上蓋４を、取り外した状態を示している。
【００３３】
上蓋４は、平面視において、角形の蓋板４ａ、角形のキャンドル収納箱４ｂ、角形のキャンドル収納箱蓋４ｃ、円形のキャンドル収納部ＣＨ１，ＣＨ２を備えている。蓋板４ａは、内部包装用容器３の頂部と同一形状に形成されている。キャンドル収納箱４ｂは、蓋板４ａよりも縮径に形成されている。キャンドル収納箱蓋４ｃは、キャンドル収納部ＣＨ１，ＣＨ２の蓋として形成され、スライド式で開閉できるようにキャンドル収納箱４ｂの下面に設けられており、落下防止のため、キャンドル収納蓋４ｃは、側面視で上面が下面よりも拡径に形成されている（図６参照。）。このキャンドル収納箱蓋４ｃの形状に適合させて、キャンドル収納箱４ｂには、ガイド溝４ｆ，４ｇ（図１０参照。）が削成されている。
【００３４】
頂部前保護部７Ｆは、前板５Ｆの上部で頂部から下方の所定位置に形成され、頂部後保護部７Ｂは、後板６Ｂの上部の頂部前保護部７Ｆと対応する位置に形成され、互いに対向して配設されている。頂部後保護部７Ｆ内部、頂部後保護部７Ｂ内部には、それぞれ、平面視半円状の瓶口前保護凹部８Ｆ、瓶口後保護凹部８Ｂが形成され、内部包装用容器３に瓶類を収納して前開閉収納体５と後開閉収納体６を閉じたときに、瓶口前保護凹部８Ｆと瓶口後保護凹部８Ｂとで、瓶類の瓶口部を挟持して固定することができる。これにより、収納した瓶類を外部からの衝撃から防止することができる。キャンドル収納箱４ｂは、前板５Ｆ、前左板５Ｌ、前右板５Ｒ、後板６Ｂ、後左板６Ｌ、後右板６Ｒ、頂部前保護部７Ｆ、頂部後保護部７Ｂで構成される枡形の上蓋嵌合凹部７に嵌合されている。
【００３５】
キャンドル収納箱４ｂの前面中央部、後面中央部には、それぞれ、舌片形状の上蓋前差込片４Ｆ、上蓋後差込片４Ｂが貼着されており、前板５Ｆ、後板６Ｂのそれぞれの上側内壁には、上蓋前差込片４Ｆ、上蓋後差込片４Ｂがそれぞれ差し込まれて係止されるように、上蓋前差込片４Ｆ、上蓋後差込片４Ｂの形状に適合させて、上蓋前差込溝５ｅ、上蓋後差込溝６ｅが削成されている。これにより、上蓋４を、内部包装用容器３に固定して嵌装することができ、前後開閉収納体５，６の閉じた状態を維持することができる。
【００３６】
キャンドル収納箱４ｂには、二つのキャンドル収納部ＣＨ１，ＣＨ２が形成され、後述のキャンドルＣ１，Ｃ２を、それぞれ、収納することができる。蓋板４ａとキャンドル収納箱４ｂとは、一つの板材を加工して形成したものであるが、別体に形成したものを接着剤で貼着したものでもよい。
【００３７】
底部９の底板９ｅに貼着されたフラップ板９ａ〜９ｄは全て同一形状であるので、フラップ板９ａについて説明すると、フラップ板９ａは、長方形状の木製板材を加工して形成されており、図６に示すように、後辺から上辺に向けて傾斜する傾斜面２５ａを有し、下辺よりも上辺が短く形成されている。この傾斜面２５ａの傾斜角度が、前後開閉収納体５，６の開く範囲を決定している。フラップ板９ａは底板９ｅの左側面前部に設けられ、フラップ板９ｃは底板９ｅの左側面後部に設けられ、また、フラップ板９ｂ（図８等参照。）は、底板９ｅの右側面前部に設けられ、フラップ板９ｄ（図８参照。）は、底板９ｅの右側面後部に設けられ、フラップ板９ａの傾斜面２５ａとフラップ板９ｃの傾斜面２５ｃとが対向するように、同様に、フラップ板９ｂの傾斜面２５ｂとフラップ板９ｄの傾斜面２５ｄとが対向するように配設されている。
【００３８】
前左板５Ｌの下部中央内部には、フラップ嵌挿部５ａが形成されている。フラップ嵌挿部５ａは、内部包装用容器３の底部に、底部９を嵌装したときに、対応するフラップ板９ａが嵌挿することができる形状に、前左板５Ｌの内壁面を削成して形成される。このとき、前後開閉収納体５，６をスムーズに開閉することができるように、図示するように、フラップ嵌挿部５ａの幅は、フラップ板９ａの幅に対し、所定の間隙、いわゆる遊び（「クリアランス」ともいう。）を持たせて形成されている。フラップ嵌挿部５ｂ〜５ｄも、フラップ嵌挿部５ａと同様の技術思想で形成され、フラップ嵌挿部５ｃは後左板６Ｌの下部中央に、フラップ嵌挿部５ｂは前右板５Ｒの下部中央に、フラップ嵌挿部５ｄは後右板６Ｒの下部中央部に設けられている。
【００３９】
底板９ｅの左側面の両端部には、円柱状の回転軸１０ａ，１０ｃが設けられ、底板９ｅの右側面の両端部には、円柱状の回転軸１０ｂ，１０ｄが設けられている。また、前左板５Ｌ、前右板５Ｒの前端部の内壁面、後左板６Ｌ、後右板６Ｒの後端部の内壁面には、それぞれ、対応する回転軸１０ａ，１０ｂ，１０ｃ，１０ｄを嵌挿することができるように、軸受部６ａ，６ｂ，６ｃ，６ｄが削成されている。回転軸１０ａ，１０ｂ，１０ｃ，１０ｄが、それぞれ、軸受部６ａ，６ｂ，６ｃ，６ｄに軸支されることで、前後開閉収納体５，６の開閉をスムーズに行うことができる。
【００４０】
図８に示すように、底板９ｅの上面を平面視円形に削成して、収納した瓶類の底部を固定して保護するための瓶底保護凹部９ｈが形成されている。収納する瓶類の異なる高さに対応するために、図９に示すような高さ調整板１２を、底部９の上に載置してもよい。高さ調整板１２の上面にも、底板９ｅと同様に、収納した瓶類の底部を固定して保護するための瓶底保護凹部１２ｈが形成されている。
【００４１】
図１０は、上蓋部４の説明図である。図１０（ａ）は、上蓋部４ａを斜め上から見た斜視図、図１０（ｂ）は、蓋板４ａを下方にした状態の斜視図、図１０（ｃ）は、図１０（ｂ）の分解斜視図である。構造的な説明は、ほぼ上述した通りである。キャンドル収納箱蓋４ｃには、ガイド窪み４ｆ，４ｇが形成されている。このガイド窪み４ｆ，４ｇのいずれか一つ又は両方を指で軽く押圧しながらスライドさせることで、キャンドル収納箱蓋４ｃを容易に開閉することができる。また、キャンドルＣ１，Ｃ２は、蝋体を金属性カバーで被装された円筒形状であり、それぞれ、キャンドル収納部ＣＨ１，ＣＨ２の収納された後、キャンドル収納箱蓋４ｃを閉じることで、落下しないように収納される。また、前述したように、キャンドル収納箱蓋４ｃも、キャンドル収納箱４ｂから落下しないように形成されている。
【００４２】
図１１は、底部９の斜視図である。底板９ｅの左側面前部には、回転軸１０ａと、傾斜面２５ａを有するフラップ板９ａとが設けられ、底板９ｅの左側面後部には、傾斜面２５ｃを有するフラップ板９ｃと、回転軸１０ｃとが設けられ、傾斜面２５ａと傾斜面２５ｃとが対向するように配設されている。底板９ｅの右側面前部には、回転軸１０ｂと、傾斜面２５ｂを有するフラップ板９ｂとが設けられ、底板９ｅの右側面後部には、傾斜面２５ｄを有するフラップ板９ｄと、回転軸１０ｄとが設けられ、傾斜面２５ｂと傾斜面２５ｄが対向するように配設されている。底部９の底板９ｅの前面及び後面は、面取りされている。なお、本実施形態においては、構成部品の角部は、必要に応じて適宜面取りされている。
【００４３】
図１２は、後開閉収納体６の要部を示す斜視図、図１３は、後開閉収納体６を底部側から見た斜視図である。後左板６Ｌの下部中央に形成されたフラップ嵌挿部５ｃは、垂直に削成された内壁面２１ａ，２１ｃを有し、後右板６Ｒの下部中央に形成されたフラップ嵌挿部５ｄは、垂直に削成された内壁面２１ｂ，２１ｄを有し、このうち、内壁面２１ａと内壁面２１ｂが、後開閉収納体６の開く範囲の制限に寄与するので、以下、内壁面２１ａを後左制限壁面２１ａ、内壁面２１ｂを後右制限壁面２１ｂという。フラップ嵌挿部５ｃには、フラップ板９ｃが嵌挿され、フラップ嵌挿部５ｄには、フラップ板９ｄが嵌挿される。前開閉収納体５についても同様に、フラップ板９ａは、前左板５Ｌのフラップ嵌挿部５ａ（図６参照。）に嵌挿され、フラップ板９ｂは、前右板５Ｒのフラップ嵌挿部５ｂ（図８参照。）に嵌挿され、前開閉収納体５の開く範囲の制限に寄与するのは、フラップ嵌挿部５ａに形成された前左制限壁面２０ｃ（不図示。）、フラップ嵌挿部５ｂに形成された前右制限壁面２０ｄ（不図示。）である。
【００４４】
回転軸１０ｃは、後左板６Ｌに形成された軸受６ｃに嵌挿され、回転軸１０ｄは、後右板６Ｒに形成された軸受６ｄに嵌挿される。また、回転軸１０ａは、同様に、前左板５Ｌに形成された軸受６ａ（図８参照。）に嵌挿され、回転軸１０ｂは、前右板５Ｒに形成された軸受６ｂ（図８参照。）に嵌挿される。
【００４５】
図１４は、底部９を後開閉収納体６に嵌装して組み立てた状態を示す斜視図である。底部９は、同様に、前開閉収納体５にも嵌装することができる。図１５、図１６は、図１４の状態から、後開閉収納体６を最大制限範囲に開いた状態を示しており、図１５は、斜め上側から見た斜視図、図１６は、斜め下側から見た斜視図である。後開閉収納体６は、回転軸１０ｃ、１０ｄに軸支されてスムーズに回動可能であり、前開閉収納体５は、回転軸１０ａ，１０ｂに軸支されて、スムーズに回動可能である。そして、図示するように、後開閉収納体６が開く方向に回転したときに、フラップ嵌挿部５ｂの後左制限壁面２１ａが、フラップ９ｃの傾斜面２５ａに当接したときに、後開閉収納体６の開く動作が制限される。このとき、フラップ嵌挿部５ｄの後右制限壁面２１ｂもフラップ９ｄの傾斜面２５ｄに当接するように形成されている。前開閉収納体５の開く動作も同様である。
【００４６】
ここで、フラップ嵌挿部５ｃと軸受部６ｃが近接しているため、フラップ嵌挿部５ｃと軸受部６ｃとの間の部分の板厚が薄くなっており、この部分が、前後開閉収納体６の繰り返しの開閉動作により、破損する虞がある。フラップ嵌挿部５ａと軸受部６ａ、フラップ嵌挿部５ｂと軸受部６ｂ、フラップ嵌挿部５ｄと軸受部６ｄのそれぞれの関係についても同様である。そこで、図１７に示すように、底部９を内部包装用容器３に嵌装した後、４つの軸受部６ａ〜６ｄそれぞれに、補強部材１１ａ〜１１ｄが嵌着される。これにより、各軸受部の空間部を補強部材で密嵌して、フラップ嵌挿部５ｃ（５ａ，５ｂ，５ｄ）と軸受部６ｃ（６ａ，６ｂ，６ｄ）との間の部分の強度を向上することができ、前後開閉収納体５，６の繰り返しの開閉動作による破損の虞をなくすことができた。なお、補強部材１１ａ〜１１ｄで軸受部６ａ〜６ｄを密嵌しても、回転軸１０ａ〜１０ｄの動作には支障がない。
【００４７】
図１８は、内部包装用３の全開状態を示し、前開閉収納体５と、後開閉収納体６が、最大制限範囲に開かれた状態を示している。通常は、この全開状態で、瓶類を内部包装用容器３から取り出し、また、瓶類を内部包装用容器３に収納することができる。ここで、この内部包装用容器３の全開状態で、前後の開閉収納体５，６開いた角度、つまり、開角度は、この角度以上に開くことが制限されている。従って、収納された瓶類は、内部包装用容器３が立った状態（収納された瓶類が立った状態）で、容易に取り出しを行うことができる。同様に、内部包装用容器３が立った状態で、容易に瓶類の収納を行うことができる。このとき、内部包装用容器３の開閉をスムーズに行うことができる。
【００４８】
図１９は、内部包装用容器３の全開状態を正面から見た図である。ここで、内部包装用容器３を閉じた状態、つまり、前後開閉収納体５，６を閉じた状態では、前左板５Ｌの前左内側壁面５Ｌａと後左板６Ｌの後左内側壁面６Ｌｃは、垂直方向に密接された状態にあり、収納された瓶類Ｂの垂直方向の中心線ＣＬと略一致する。前右板５Ｒの前右内側壁面５Ｒｂと後右板６Ｒの後右内側壁面６Ｒｄも、同様に垂直方向に密接状態にあり、前記中心線ＣＬと略一致する。後開閉収納体６を開いたときの、後開閉収納体６（後左板６Ｌの後左内側壁面６Ｌｃ）の、中心線ＣＬに対する角度を開角度θとすれば、後開閉収納体６の全開状態の開角度θは、フラップ板９ｃの傾斜面２５ｃの中心線ＣＬに対する傾斜角度θ０と略等しくなるように設定されている。同様に、前開閉収納体５（前左板５Ｌの前左内側壁面５Ｌａ）の全開状態の開角度θは、フラップ板９ａの傾斜面２５ａの中心線ＣＬに対する傾斜角度θ０と略等しくなるように設定される。そして、前後開閉収納体５，６は、開角度θ０以上に開かれることが制限されている。なお、フラップ嵌挿部５ａの前左制限壁面２０ｃ、及び、フラップ嵌挿部５ｂの前右制限壁面２０ｄは、前開閉収納体５（前左内側壁面５Ｌａ，前右内側壁面５Ｒｂ）の中心線ＣＬに対する角度θと等しく、フラップ嵌装部５ｃの後左制限壁面２１ｃ、及び、フラップ嵌挿部５ｄの後右制限壁面２１ｄは、後開閉収納体６（後左内側壁面６Ｌｃ，後右内側壁面６Ｒｄ）の中心線ＣＬに対する角度θと等しい。
【００４９】
図２１は、開角度が制限される理由を説明する図である。図２１（ａ）は、内部包装用容器３（前後開閉収納体５，６）を閉じた状態を示し、図２１（ｂ）は、内部包装用容器３が、開かれる途中状態を示し、図２１（ｃ）は、内部包装用容器３の全開状態を示す。
【００５０】
内部包装用容器３を閉じた状態では、フラップ板９ａはフラップ嵌挿部５ａに嵌挿されている。また、フラップ板９ｃはフラップ嵌挿部５ｃに嵌挿されている。後開閉収納体５を閉じた状態では、フラップ板９ａとフラップ嵌挿部５ａには、前述したように、密接ではなく、多少の間隙（「遊び」、あるいは、「クリアランス」ともいう。）が形成されている。また、前開閉収納体６を閉じた状態では、フラップ板９ｃとフラップ嵌挿部５ｃには、同様に、多少の間隙が形成されている。前後開閉収納体５，６は、それぞれ、回転軸１０ａ，１０ｃに軸支されている。なお、図２１で視認されない、前右板５Ｒ，後右板６Ｒ側の関連構成品も、同様の動作をするので説明を省略する。
【００５１】
この状態では、フラップ板９ａの傾斜面２５ａは、傾斜面の下側から上側に行くほど、前左板５Ｌの前左内側壁面５Ｌａ（フラップ嵌挿部５ａの後左制限壁面２０ｃ）から離隔している。同様に、フラップ板９ｃの傾斜面２５ｃは、傾斜面の下側から上側に行くほど、後左板６Ｌの後左内側壁面６Ｌｃ（フラップ嵌挿部５ｃの後左制限壁面２１ａ）から離隔している。
【００５２】
この閉じた状態から、前後開閉収納体５，６を開いていくと、図２１（ｂ）に示すように、まず、前開閉収納体５は、回転軸１０ａを支軸として前方向に回動する。そして、フラップ嵌挿部５ａの内壁面２０ａは、フラップ板９ａから徐々に離隔していくが、前左制限壁面２０ｃは、離隔していた上側部分が、フラップ板９ａの傾斜面２５ａに徐々に接近し、図２１（ｃ）に示すように、前開閉収納体５（前左内側壁面５Ｌａ）の開角度θが、傾斜面２５ａの中心線ＣＬに対する傾斜角度θ０と略等しくなったときに、前左制限壁面２０ｃが傾斜面２５ａに当接し、前開閉収納体５の回動が停止される。そして、この開角度θ以上に前開閉収納体５が開くことが制限される。
【００５３】
同様に、後開閉収納体６は、図示するすように、回転軸１０ｃを支軸として後方向に回動する。そして、フラップ嵌挿部５ｃの内壁面２１ｃは、フラップ板９ｃから徐々に離隔していくが、後左制限壁面２１ａは、離隔していた上側部分が、フラップ板９ｃの傾斜面２５ｃに徐々に接近し、図２１（ｃ）に示すように、後開閉収納体６（後左内側壁面６Ｌｃ）の開角度θが、傾斜面２５ｃの中心線ＣＬに対する傾斜角度θ０と略等しくなったときに、後左制限壁面２１ａが傾斜面２５ａに当接し、後開閉収納体６の回動が停止される。そして、この開角度θ以上に後開閉収納体６が開くことが制限される。前後開閉収納体５，６の開閉動作時は、常に回転軸１０ａ〜１０ｄに軸支されているので、前後開閉収納体５，６の開閉動作をスムーズに行うことができる。
【００５４】
上述した前後開閉収納体５，６（前左内側壁面５Ｌａ，前右内側壁面５Ｒｃ）の開角度は、前後開閉収納体５，６（前左内側壁面５Ｌａ，前右内側壁面５Ｒｃ）が、中心線ＣＬに対して回動する量（あるいは、回転する量）と表現を変えて言うこともできる。前後開閉収納体５，６の開角度θ、回動（回転）する量を総称して、前後開閉収納体５，６の開く範囲ともいう。この前後開閉収納体５，６の開く範囲は、フラップ嵌挿部５ａ〜５ｄ、フラップ板９ａ〜９ｄの形状（特にフラップの傾斜面の傾斜角度）、位置を変えることで、適宜調整可能である。
【００５５】
このように、本発明によれば、開閉収納体を有する木製の内部包装用容器を備えた包装用容器が、該包装用容器を立てた状態で瓶類の収納又は取り出しの少なくともいずれか一方を行うために、前記開閉収納体を開いた際に、該開閉収納体が所定の範囲以上に開くことを制限されるように形成されているので、前記包装用容器を立てた状態で、瓶類の収納又は取り出しの少なくともいずれか一方を容易に行うことができるとともに、開閉収納体の開閉収納体をスムーズに行うことができる。
【符号の説明】
【００５６】
１      包装用容器
２      外部包装用容器
３      内部包装用容器
４      上蓋
４ａ    蓋板
４ｂ    キャンドル収納箱
４ｃ    キャンドル収納箱蓋
４ｄ，４ｅ    ガイド溝
４ｆ，４ｇ    ガイド窪み
４Ｆ    上蓋前差込片
４Ｂ    上蓋後差込片
Ｃ１，Ｃ２        キャンドル
ＣＨ１，ＣＨ２    キャンドル収納部
５      前開閉収納体
５ａ，５ｂ，５ｃ，５ｄ    フラップ嵌挿部
５ｅ    上蓋前差込溝
５Ｆ    前板
５Ｌ    前左板
５Ｌａ  前左内側壁面
５Ｒ    前右板
５Ｒｂ  前右内側壁面
６      後開閉収納体
６ａ，６ｂ，６ｃ，６ｄ    軸受部
６ｅ    上蓋後差込溝
６Ｂ    後板
６Ｌ    後左板
６Ｌｃ  後左内側壁面
６Ｒ    後右板
６Ｒｄ  後右内側壁面
７      上蓋嵌合凹部
７Ｆ    頂部前保護部
７Ｂ    頂部後保護部
８Ｆ    瓶口前保護凹部
８Ｂ    瓶口後保護凹部
９      底部
９ａ，９ｂ，９ｃ，９ｄ    フラップ板
９ｅ    底板
９ｈ，１２ｈ    瓶底保護凹部
１０ａ，１０ｂ，１０ｃ，１０ｄ      回転軸
１１ａ，１１ｂ，１１ｃ，１１ｄ    補強部材
１２    高さ調整板
２０ａ，２０ｂ，２１ｃ，２１ｄ    内壁面
２０ｃ  前左制限壁面（内壁面）
２０ｄ  前右制限壁面（内壁面）
２１ａ  後左制限壁面（内壁面）
２１ｂ  後右制限壁面（内壁面）
２５ａ，２５ｂ，２５ｃ，２５ｄ  フラップ板の傾斜面
【要約】
【課題】外部包装容器と木製の内部包装用容器を有する包装用容器において、包装用容器を立てた状態で、瓶類の収納又は取り出しを容易に行うことができる包装用容器を提供することを目的とする。
【解決手段】前記内部包装用容器は開閉可能な開閉収納体と該開閉収納体の開く範囲を制限する制限手段とを備え、該制限手段は、前記内部包装用容器の底部に設けられ傾斜面を有するフラップ板と前記開閉収納体を軸支する回転軸を備え、前記開閉収納体は前記フラップの嵌挿部と前記回転軸を支承する軸受部を備え、前記内部包装用容器は前記開閉収納体の嵌挿部に前記制限手段のフラップ板が嵌挿され且つ前記開閉収納体の軸受部に前記制限手段の回転軸が支承されて構成され、前記開閉収納体は前記回転軸に軸支されて開閉可能に形成され前記フラップ板の傾斜面と前記嵌挿部内壁面とが係合して前記開閉収納体の開く範囲を制限することを特徴とする。
【選択図】  図１５【図１】
0006052754.tif 000002
【図２】
0006052754.tif 000003
【図３】
0006052754.tif 000004
【図４】
0006052754.tif 000005
【図５】
0006052754.tif 000006
【図６】
0006052754.tif 000007
【図７】
0006052754.tif 000008
【図８】
0006052754.tif 000009
【図９】
0006052754.tif 000010
【図１０】
0006052754.tif 000011
【図１１】
0006052754.tif 000012
【図１２】
0006052754.tif 000013
【図１３】
0006052754.tif 000014
【図１４】
0006052754.tif 000015
【図１５】
0006052754.tif 000016
【図１６】
0006052754.tif 000017
【図１７】
0006052754.tif 000018
【図１８】
0006052754.tif 000019
【図１９】
0006052754.tif 000020
【図２０】
0006052754.tif 000021
【図２１】
0006052754.tif 000022